(57)【要約】【課題】イベント用設備や仮設ハウス等の仮設設備内を空調するための空気調和機であって、雨や水に強く長持ち（長寿命）する室内ユニットを提供する。【解決手段】イベント用設備や仮設ハウス等の仮設設備の内側を空調するための空気調和機であって、このハウスの外側に設置される室外機とこのハウスの内側に設置される室内機と両機をつなぐ冷媒配管とで構成され、前記室内機は、防水構造とするためにボールベアリングの軸方向の端面には芯金で補強されたゴムシールがはめ込まれたファンモータと、前記ファンモータで駆動される室内送風ファンと、前記室内機に吸い込んだ空気を前記冷媒配管内の冷媒と熱交換させる室内熱交換器とが納められた構成とする。【選択図】図５
2011094898.tif 000002
【特許請求の範囲】
【請求項１】
イベント用設備や仮設ハウス等の仮設設備の内側を空調するための空気調和機であって、このハウスの外側に設置される室外機とこのハウスの内側に設置される室内機と両機をつなぐ冷媒配管とで構成され、
前記室内機は、ファンモータの軸受用ボールベアリングの軸方向の端面に芯金を有するゴムシールをはめた防水構造と、前記ファンモータで駆動される室内送風ファンと、前記室内機に吸い込んだ空気を前記冷媒配管内の冷媒と熱交換させる室内熱交換器とが納められていることを特徴とする空気調和機。
【請求項２】
前記室内機のユニットケースの内部は仕切板によって仕切られており、一方は前記室内送風ファンと前記室内熱交換器が納められ、他方は電装ボックスが納められており、この電装ボックス内の制御基板には防湿剤が塗布されていることを特徴とする請求項１記載の空気調和機。
【請求項３】
前記室内機の底板は防錆のための塗料が塗布されていることを特徴とする請求項２記載の空気調和機。
【請求項４】
前記ユニットケースの内部は、後面のほぼ全面に亘って前記室内熱交換器が位置され、この室内熱交換器の手前に前記室内送風ファンが位置されており、前記ユニットケース後面から吸い込まれた空気がこの室内熱交換器で熱交換され、前記ユニットケース前面から放出されることを特徴とする請求項３記載の空気調和機。
【請求項５】
前記室内機と前記室外機はその外観の形状が略同一であることを特徴とする請求項１記載の空気調和機。
【請求項６】
前記室内機に収められている室内送風ファンはプロペラファンであることを特徴とする請求項１記載の空気調和機。
【請求項７】
前記室外機には圧縮機が収められていることを特徴とする請求項１記載の空気調和機。
【発明の詳細な説明】
【技術分野】
【０００１】
本発明は、イベント用設備や仮設ハウス等の仮設設備内を空調するための空気調和機に関する。
【背景技術】
【０００２】
従来、例えば、イベント用設備や仮設ハウス等の仮設設備内を冷房または暖房するエアコン装置としては、一般的な構造の業務用もしくは家庭用の空気調和機が設置され、イベント終了後もしくは仮設設備の撤去後はこれらの空気調和機は屋外の資材置き場にシート掛けで保存され、次のイベントや仮設設備設置の際に再利用される。（例えば、特許文献１参照）。
【特許文献１】特開２００７−１３２６２９号公報
【発明の開示】
【発明が解決しようとする課題】
【０００３】
上述した業務用もしくは家庭用の空気調和機において、特に室内機は屋外に保存することを前提に設計されていないため、資材置き場にシート掛けで保管するとはいえ屋外に室内機が保存されるので、特にモーター等の電装部品の耐水性が十分保てずその室内機の使用寿命が短くなることが考えられる。また、雨水などで濡れる場合があるので、十分な耐水性の処理を施した室内機でないと長期間の使用や再利用は困難である。
【０００４】
そこで本発明の目的は、イベント用設備や仮設ハウス等の仮設設備内を空調するための空気調和機であって、雨や水に強く長持ち（長寿命）する室内機を提供することである。
【課題を解決するための手段】
【０００５】
上述した課題を解決するため、本発明は、イベント用設備や仮設ハウス等の仮設設備の内側を空調するための空気調和機であって、このハウスの外側に設置される室外機とこのハウスの内側に設置される室内機と両機をつなぐ冷媒配管とで構成され、
前記室内機は、防水構造とするためにボールベアリングの軸方向の端面には芯金で補強されたゴムシールがはめ込まれたファンモータと、前記ファンモータで駆動される室内送風ファンと、前記室内機に吸い込んだ空気を前記冷媒配管内の冷媒と熱交換させる室内熱交換器とが納められていることを特徴とする。
【０００６】
また、請求項２の発明は、前記室内機のユニットケースの内部は仕切板によって仕切られており、一方は前記室内送風ファンと前記室内熱交換器が納められ、他方は電装ボックスが納められており、この電装ボックス内の制御基板には防湿剤が塗布されていることを特徴とする。
【０００７】
また、請求項３の発明は、前記室内機の底板は防錆のための塗料が塗布されていることを特徴とする。
【０００８】
また、請求項４の発明は、前記ユニットケースの内部は、後面のほぼ全面に亘って前記室内熱交換器が位置され、この室内熱交換器の手前に前記室内送風ファンが位置されており、前記ユニットケース後面から吸い込まれた空気がこの室内熱交換器で熱交換され、前記ユニットケース前面から放出されることを特徴とする。
【０００９】
また、請求項５の発明は、前記室内機と前記室外機はその外観の形状が略同一であることを特徴とする。
【００１０】
また、請求項６の発明は、前記室内機に収められている室内送風ファンはプロペラファンであることを特徴とする。
【００１１】
また、請求項７の発明は、前記室外機には圧縮機が収められていることを特徴とする。
【発明の効果】
【００１２】
請求項１乃至２の発明によれば、防水構造を有するので雨や水に強い室内機を提供することができる。
【００１３】
請求項３の発明によれば、室内機の底板の防錆することができる。
【００１４】
請求項４の発明によれば、室内機の外形を必要以上に大きくすることなく、室内熱交換器の熱交換面積を大きくすることができる。
【００１５】
請求項５の発明によれば、室内機の専用設計が必要とならず、また、室外機と共通の部品を使用でき、トータルコストを抑制することができる。
【００１６】
請求項６の発明によれば、前記室内熱交換器で熱交換された空気を室内へと放出させることができる。
【００１７】
請求項７の発明によれば、前記室内機は前記室外機に比べて小さくすることができ、スペースを有効に活用できる。
【図面の簡単な説明】
【００１８】
【図１】本実施形態にかかる空気調和装置の室外機の斜視図である。
【図２】室外機の内部構造を示す分解斜視図である。
【図３】室内機の内部構造を示す分解斜視図である。
【図４】室内機の内部構造を示す上断面図である。
【図５】ファンモータ内部のボールベアリングの詳細構造を示す拡大断面図である。
【発明を実施するための形態】
【００１９】
以下、図面を参照して本発明の実施形態について説明する。
【００２０】
図１、図２は空気調和機の室外機１０を示す図である。
【００２１】
室外機１０は、略直方体箱形状のユニットケース１１（筐体）を備えている。ユニットケース１１は、底板１２、天板１３、前面パネル１４、及び、外板１５を備え、耐水性にすぐれた防水構造になっており、ステンレススチールなどの板金部材から形成されている。底板１２には、底板１２に溜まったドレン水を、ユニットケース１１の外部に排出するドレンホース（不図示）が備えられている。前面パネル１４は、左側前面パネル１４ａと、右側前面パネル１４ｂとから構成されている。左側前面パネル１４ａには、室外機１０１０の内部で熱交換された空気が吹き出す、吹出口２３、２３が上下に形成されている。吹出口２３、２３は、網状のファンガード１７で覆われている。
【００２２】
ユニットケース１１の内部は、図２に示されるように、底板１２に立設された仕切板１６によって左右に仕切られ、左側の室である熱交換器室Ｒ２と、右側の室である機械室Ｒ３との二つの室が形成されている。
【００２３】
熱交換器室Ｒ２には、その背面側に熱交換器２０が備えられ、その前面側に送風機２２が上下に並べて備えられている。熱交換器２０は、上面視略Ｌ字形状に屈曲されて形成され、熱交換器室Ｒ２の左側面、及び、背面の全面を覆い、ユニットケース１１に表出するように備えられている。送風機２２は、室外機１０の全面側に備えられたプロペラファン２１と、プロペラファン２１の軸穴（不図示）に勘合された回転軸（不図示）を有し、プロペラファン２１を駆動するファンモータ２６とをそれぞれ備えて構成されている。
【００２４】
後述するが、このファンモータ２６は、防水構造とするためにボールベアリング６１の軸方向の端面に芯金６２で補強されたゴムシール６１がはめ込まれており、ボールベアリング内への雨水の浸入を抑制している。これにより、軸受用オイルの流出によるベアリングの焼付きを防止し、寿命の確保がなされており、雨や水に強い室外機１０となっている。
【００２５】
また、熱交換器２０の熱交換器室Ｒ２の背面の全面が、室外機１０の空気吸込口２４として構成され、送風機２２によって、室外機１０の空気吸込口２４から吸い込まれた空気が、熱交換器２０を経由し、吹出口２３から吹き出されて、排出される構成となっている。これらの構成によれば、室外機１０の空気の吸込口２４と、熱交換器２０とは、室外機１０の左側面、及び、熱交換器室Ｒ２の背面の全面に表出して備えられているため、熱交換、及び、空気の吸込面積を広く確保することができるため、室外機１０の奥行き方向を短くすることができ、奥行き方向での設置面積が大きくならない構成となっている。
【００２６】
また、ファンモータ２６は、防水構造を有して形成され、水にぬれても、プロペラファン２１の駆動に影響が生じない構成となっている。さらに、本構成においては、熱交換器２０の表出面の全面は人体等との接触を防止するための、熱伝導性の低い樹脂等で形成されたフィンガード１８（図４参照）で覆われている。
【００２７】
機械室Ｒ３には、圧縮機３１、アキュムレータ３２、四方弁３３、及び、各種圧縮弁等の冷媒回路構成部品が配管接続され、備えられている。アキュムレータ３２の上方には、ガス管用サービスバルブ３７と、液管用サービスバルブ３６とが備えられ、室内機５０から延びる、不図示のガス管と液管とがそれぞれ接続され、冷媒を循環する冷媒回路が形成されている。
【００２８】
また、機械室Ｒ３の上部には、電装ボックス４０が備えられ、電装ボックス４０は、室外機１０の各部に電源を供給する電源トランス（不図示）、或いは、室外機１０を制御する制御基盤等の各種電装部品が備えられて構成されている。電装ボックス４０の外気側とその内部の制御基盤（不図示）の両面にはポリオレフィン、アクリル、ポリウレタン等が主成分となる防湿剤を塗布して防水構造を有しているので、室外機１０が水に濡れても、室外機１０の運転に影響が生じない構成となっている。
【００２９】
室内機５０は、図３、図４、図５で示されるように、上述の室外機１０と部品の共通化が図られ、ユニットケース１１、送風機２２、及び、熱交換器２０等の主要構成部品は同一のものが用いられて、構成されている。そのため、室内機５０に使用される部品であって、室外機１０と共通である部品については、同一の符号を付して説明する。
【００３０】
室内機５０は、電装ボックス５１に防湿材を塗布するなどして耐水性にすぐれた防水構造の略直方体箱形状のユニットケース１１（筐体）を備えている。ユニットケース１１は、底板１２、天板１３、前面パネル１４、及び、外板１５を備えて構成され、ステンレススチールなどの板金部材から形成されている。
【００３１】
底板１２には、防錆のために耐塩害仕様の塗装が施されている。また、底板１２に溜まったドレン水を、ユニットケース１１の外部に排出するドレンホース（不図示）が備えられている。前面パネル１４は、左側前面パネル１４ａと、右側前面パネル１４ｂとから構成されている。左側前面パネル１４ａには、室内機５０の内部で熱交換された空気が吹き出す、吹出口２３が上下に形成されている。吹出口２３は、網状のファンガード１７（図２参照）で覆われている。
【００３２】
ユニットケース１１の内部は、底板１２に立設された仕切板１６によって左右に仕切られ、左側の室である熱交換器室Ｒ２と、右側の室である機械室Ｒ４との二つの室が形成されている。
【００３３】
熱交換器室Ｒ２には、その背面側に熱交換器２０が備えられ、その前面側に送風機２２が上下に並べて備えられている。熱交換器２０は、上面視略Ｌ字形状に屈曲されて形成され、熱交換器室Ｒ２の左側側面、及び、背面の全面を覆い、ユニットケース１１に表出するように備えられている。送風機２２は、室外機１０の前面側に備えられたプロペラファン２１と、プロペラファン２１の軸穴（不図示）に勘合された回転軸（不図示）を有し、プロペラファン２１を駆動するファンモータ２６とをそれぞれ備えて構成されている。
【００３４】
図５において、このファンモータ２６は、図示しない固定子や回転子が収納されたブラケットカバー２６１、防水キャップ２６２で構成され、その内部にはモーターの軸受けとしてボールベアリング６０が納められている。従来、ファンモータ２６内の水の浸入を防ぐために防水キャップ２６２が設けられていたが、この防水キャップ２６２とファンモータの軸２６３との間には隙間６３があり、水が浸入する可能性があった。
【００３５】
そのため、隙間６３からファンモータ２６内部に水が浸入した場合にも防水性が保てるよう、ボールベアリング６０の軸方向の端面には芯金６２で補強されたゴムシール６１がはめ込まれている。これによって、室内機５０を屋外に設置又は保管し、雨水などで濡れた場合にもファンモータ２６内への水の浸入の可能性を低減できる。また、ボールベアリング６０内に収められている軸受用潤滑油６４がボールベアリング６０外に出ないようにする効果も得られ、軸受用潤滑油６４の流出によるベアリングの焼付きを防止している。
【００３６】
また、熱交換器２０の熱交換器室Ｒ２の背面の全面が、室内機５０の空気吸込口２４として構成され、送風機２２によって、室内機５０の空気吸込口２４から吸い込まれた空気が、熱交換器２０を経由し、調和された空気として、吹出口２３から吹き出されて、送風される構成となっている。
【００３７】
これらの構成によれば、送風機２２が上下に二つ並んで備えられているため、大風量の空調された空気の送風を行うことができ、さらに送風に広がりがあるため快適な空調環境を広範囲に提供することができる。
【００３８】
また、これらの構成によれば、室内機５０の空気の吸込口２４と、熱交換器２０とは、室内機５０の左側面、及び、熱交換器室Ｒ２の背面の全面に表出して備えられているため、熱交換、及び、空気の吸込面積を広く確保することができるため室内機５０の奥行き方向を短くすることができ、奥行き方向での設置面積が大きくならない構成となっている。また、ファンモータ２６は、防水構造を有して形成され、水にぬれても、プロペラファン２１の駆動に影響が生じない構成となっている。さらに、本構成においては、熱交換器２０の表出面の全面は人体等との接触を防止するための、熱伝導性の低い樹脂等で形成されたフィンガード１８で覆われている。
【００３９】
また、フィンガード１８の表出面には、吸込フィルタ１９が備えられている。吸込フィルタ１９は、粉塵の多い空間で使用されるプレフィルタであっても良い、或いは、オイルミスト、及び、油煙の多い空間で使用されるオイルミストフィルタであっても良い。吸込フィルタ１９は、その左右両端にマグネットが取り付けられ、板金で形成されているユニットケース１１に、このマグネットがくっつき、保持されている。ここで、吸込フィルタ１９は、洗浄して再利用できるフィルタを用いた構成としても良い。
【００４０】
これらの構成によれば、室内機５０の空気吸込口２４に吸込フィルタ１９が備えられているため、利用者に送風される吹出口２３から吹き出される空気の粉塵、或いは、臭気を低減することができ、快適な空調環境を提供することができる。
【００４１】
機械室Ｒ４には、熱交換器２０に延在し、室外機１０から延びるガス管と液管とを接続するための配管接続部３５が備えられている。室外機１０と、室内機５０とを連結する不図示の冷媒配管は、室外機１０、室内機５０の下方にそれぞれ接続され、冷媒配管には断熱材が巻かれて、この断熱材の外側には、電源配線が束ねられ、室内機５０を介して室外機１０に電源が供給される。また、機械室Ｒ４には、レシーバタンク（不図示）が備えられている。この構成によれば、室外機１０において圧縮機３１、アキュムレータ３２、四方弁３３等が設けられているスペースが、それらを有しない室内機５０においては空きスペースとなるため、この空きスペースを有効に利用してレシーバタンクを備えることによって、室内機５０、及び、室外機１０を小型化することができる。
【００４２】
機械室Ｒ４の上部には、電装ボックス５１が備えられ、電装ボックス５１は、室内機５０の各部に電源を供給する電源トランス（不図示）、或いは、室内機５０を制御する制御基盤、空気調和機を制御する制御基盤等の各種電装部品が備えられて構成されている。電装ボックス５１の外気側とその内部の制御基盤（不図示）の両面にはポリオレフィン、アクリル、ポリウレタン等が主成分となる防湿剤を塗布して防水構造を有しているので、室内機５０が水に濡れても、室内機５０の運転に影響が生じない構成となっている。
【００４３】
本実施形態においては、室内機５０は室外機１０と略同一であり、圧縮機３１、アキュムレータ３２、四方弁３３、電装ボックス４０等の主要部品は共通の部品を用いて構成されている。また、室内機５０は、居室空間の空気調和を行うための汎用の空気調和機の室外機１０（防水仕様）に使用されている熱交換器２０、送風機２２、筐体、外装部品、及びに、その他の構造部品を用いて構成されている。
【００４４】
これらの構成によれば、本実施形態における空気調和機と、その他の汎用の空気調和機との間の部品の共通化を計ることができ、コストを削減することができる。
【００４５】
また、通常屋外に設置される、汎用の空気調和機の室外機１０で使用される構成部品を、空気調和機の室内機５０にも使用することで、防水構造を有する構成とすることができる。
【００４６】
これらの構成によれば、空気調和機は、イベント用テントなどの空調のために、室外機１０と室内機５０がともに屋外に設置することができる。この場合、雨水等に濡れることが考えられるが、室外機１０及び室内機５０をともに防水構造を有する構成としたため、雨水などで空気調和機が故障しにくくなっている。従って、急な雨でもあわてて機器を撤収する必要がなくなる。
【００４７】
また、仮設ハウスなどを空調するための室内機５０として利用できる。この場合、この室内機５０は上記ハウスを構成するパネル等にあらかじめ取り付けておき、このパネルを組み立て部品のひとつとして、他の組み立て部品と組み合わせて利用する。
【００４８】
なお、イベント終了後の室内機５０や仮設ハウスの撤去後の室内機５０が取り付けられた状態のパネルは屋外にシート掛けして保管されることがある。この場合、シート掛けされているとはいえ雨水等に濡れることが考えられるが、室外機１０及び室内機５０をともに防水構造を有する構成としたため、雨水などで空気調和機が故障することがない。また、保管中に塵やほこりで汚れることが考えられるが、再利用時には室外機１０及び室内機５０を丸ごと水洗いすることができるので、メンテナンス労力を低減することができる。
【００４９】
また、空気調和機は、空気吹出口２３に備えられたファンガード１７の外側に、複数の羽根板を外枠に平行に組み込んで形成された可変風向ガイドを備えた構成としてもよい。可変風向ガイドは、ファンガードの上下両端、或いは、左右両端にはめ込まれて保持され、その取付け角度によって、上下、或いは、左右方向の風向を調整できる構成としても良い。また、可変風向ガイドは、室外機１０及び室内機５０のどちらにも取付け可能な構成としても良い。
【符号の説明】
【００５０】
１０  室外機
１１  ユニットケース
１２  底板
１６  仕切板
２０  熱交換器
２１  プロペラファン
２３  吹出口
２４  吸込口
２６  ファンモータ
３１  圧縮機
４０  電装ボックス
５０  室内機
５１  電装ボックス
６０  ボールベアリング
６１  ゴムシール
６２  芯金
【図１】
2011094898.tif 000003
【図２】
2011094898.tif 000004
【図３】
2011094898.tif 000005
【図４】
2011094898.tif 000006
【図５】
2011094898.tif 000007